(57)【要約】【課題】充填液の常温充填を好適に行う。【解決手段】プラスチックボトル（１）は、上から順に、液体の注ぎ口となる口部（２）と、下方に向かうほど拡径する肩部（３）と、略円筒状の胴部（４）と、を備える容量が１．３〜１．７リットルであり、最大胴径が８７．０〜９１．０ｍｍであり、肩部（３）のうち、胴部（４）と連設する下側部分（３２）は、弧状で且つ最大胴径に対する当該下側部分（３２）の曲率半径（Ｒ２）の寸法比が０．４５以下であり、肩部（３）のうち、下側部分（３２）を除く残りの部分（３１）の少なくとも一部は、弧状で且つ最大胴径に対する当該部分（３１）の曲率半径（Ｒ１）の寸法比が０．５５以上であるか、又は、直線状である。【選択図】図１
2018144880.tif 000002
【特許請求の範囲】
【請求項１】
上から順に、液体の注ぎ口となる口部と、下方に向かうほど拡径する肩部と、略円筒状の胴部と、を備えるプラスチックボトルであって、
容量が１．３〜１．７リットルであり、
最大胴径が８７．０〜９１．０ｍｍであり、
前記肩部のうち、前記胴部と連設される下側部分は、弧状で且つ前記最大胴径に対する当該下側部分の曲率半径の寸法比が０．４５以下であり、
前記肩部のうち、前記下側部分を除く残りの部分の少なくとも一部は、弧状で且つ前記最大胴径に対する当該部分の曲率半径の寸法比が０．５５以上であるか、又は、直線状であるプラスチックボトル。
【請求項２】
前記残りの部分の全てが、弧状で且つ前記最大胴径に対する当該残りの部分の曲率半径の寸法比が０．５５以上であるか、又は、直線状である請求項１に記載のプラスチックボトル。
【請求項３】
炭酸用である請求項１又は２に記載のプラスチックボトル。
【発明の詳細な説明】
【技術分野】
【０００１】
本発明は、上から順に、液体の注ぎ口となる口部と、下方に向かうほど拡径する肩部と、略円筒状の胴部と、を備えるプラスチックボトルに関する。
【背景技術】
【０００２】
容量が１．５リットルタイプのプラスチックボトルでは、搬送の際の占有面積を低減できれば一度に多くの数のボトルを搬送できるが、占有面積を低減するために胴径を小さくすると、その分ボトルの容量が確保できなくなる。そして、これに対し、特許文献１（特開２０１５−１６６２５２号公報）には、容量が１．５リットルタイプのプラスチックボトルにおいて、最大胴径を８７．０〜９１．０ｍｍと比較的小さな値として搬送の際の占有面積を低減しながらも、ボトル本体の肩部と連続する胴部上縁部の直径に対する肩部の曲率半径の寸法比（曲率半径／胴部上縁部の直径）が０．４５〜０．５５となる弧状として膨らんだ形状とすることで、胴径を小さくした分の容量低減を吸収でき、全体としてボトルの容量を維持できるようにすることが提案されている。
【先行技術文献】
【特許文献】
【０００３】
【特許文献１】特開２０１５−１６６２５２号公報
【発明の概要】
【発明が解決しようとする課題】
【０００４】
ただし、搬送の際の占有面積を低減しながらも、全体としてボトルの容量を維持するためのボトルの形状は、未だ改良の余地がある。
【０００５】
そこで、搬送の際の占有面積を低減しながらも、全体としてボトルの容量を維持するためのより好適な形状を有するプラスチックボトルの実現が望まれる。
【課題を解決するための手段】
【０００６】
本発明に係るプラスチックボトルは、
上から順に、液体の注ぎ口となる口部と、下方に向かうほど拡径する肩部と、略円筒状の胴部と、を備えるプラスチックボトルであって、
容量が１．３〜１．７リットルであり、
最大胴径が８７．０〜９１．０ｍｍであり、
前記肩部のうち、前記胴部と連設される下側部分は、弧状で且つ前記最大胴径に対する当該下側部分の曲率半径の寸法比が０．４５以下であり、
前記肩部のうち、前記下側部分を除く残りの部分の少なくとも一部は、弧状で且つ前記最大胴径に対する当該部分の曲率半径の寸法比が０．５５以上であるか、又は、直線状である。
【０００７】
上記構成によれば、最大胴径を８７．０〜９１．０ｍｍと比較的小さな値として搬送の際の占有面積を低減しながらも、肩部のうちの胴部と連設する下側部分を弧状で且つ前記最大胴径に対する当該下側部分の曲率半径の寸法比が０．４５以下としつつ、下側部分を除く残りの部分の少なくとも一部を、弧状で且つ前記最大胴径に対する当該部分の曲率半径の寸法比が０．５５以上とするか、又は、直線状とすることで、肩部全体として膨らみをもたせるようにし、胴径を小さくした分の容量低減を吸収し、全体としてボトルの容量を維持することができる。
【０００８】
また、肩部のうち、口部周辺の部分の曲率半径が低いほどその部分に応力が集中しやすくクレージングが起こりやすくなるが、本実施形態では、肩部のうち下側部分を除く残りの部分（いわば上側部分）を直線状としたり、又は、特許文献１に比べ曲率半径の寸法比を高くすることができ、肩部におけるクレージングの発生を効果的に抑制できる。
【０００９】
１つの態様として、前記残りの部分の全てが、弧状で且つ前記最大胴径に対する当該残りの部分の曲率半径の寸法比が０．５５以上であるか、又は、直線状であると好適である。
【００１０】
この構成によれば、肩部のうち下側部分を除く残りの部分（いわば上側部分）が、直線状となるか、又は、特許文献１に比べ曲率半径の寸法比が高くなるから、肩部におけるクレージングの発生を一層効果的に抑制できる。
【００１１】
１つの態様として、炭酸用であると好適である。
【００１２】
この構成によれば、内圧の上昇により、クレージングが他の飲料用のボトルに比べて起き易い炭酸用のボトルにおいて、クレージングの発生を効果的に抑制できる。
【図面の簡単な説明】
【００１３】
【図１】本実施形態に係るプラスチックボトルの正面図
【発明を実施するための形態】
【００１４】
本発明に係るプラスチックボトルの実施形態について、図面を参照して説明する。本実施形態に係るプラスチックボトル１は、図１に示すように、上から順に、液体の注ぎ口となる口部２と、下方に向かうほど拡径する肩部３と、略円筒状の胴部４と、プラスチックボトル１の底となる底部５と、を備える。
【００１５】
本実施形態のプラスチックボトル１は、例えば、ポリエチレン、ポリプロピレン、ポリエチレンテレフタレート等の熱可塑性樹脂を主材料として、二軸延伸ブロー成型等の延伸成形法によって一体的に成型することができる。また、本実施形態に係るボトル１は後述するように炭酸用であるが、ボトル１に充填させる液体は炭酸飲料に限定されず、例えば、飲料水、茶、果汁、コーヒー、ココア、清涼飲料水、アルコール飲料、乳飲料、スープなどの飲料や、ソースや醤油などの液体調味料などが挙げられる。
【００１６】
そして、本実施形態のプラスチックボトル１は容量の大きなものを対象としており、容量は１．３〜１．７リットルであればよく、本実施形態では１．５ミリリットルとしてある。また、容量が大きなものであるが、最大胴径が８７．０〜９１．０ｍｍとなるようにしてあり（本実施形態では９０ｍｍ）、最大胴径を小さな値として搬送の際の占有面積を低減してある。
【００１７】
ただし、最大胴径を小さな値とすると、その分容量を確保しがたくなるが、本実施形態のプラスチックボトル１では、肩部３のうち、胴部４と連設される下側部分３２は、弧状で且つ最大胴径に対する当該下側部分３２の曲率半径Ｒ２の寸法比が０．４５以下であり、肩部４のうち、上側部分３１（下側部分３２を除く残りの部分）は、弧状で且つ最大胴径に対する当該上側部分３１の曲率半径Ｒ１の寸法比が０．５５以上となっている。これにより、肩部３を全体として膨らんだ形状とすることで、胴径を小さくした分の容量低減を吸収でき、全体としてボトル１の容量を確保することができる。なお、本実施形態では下側部分３２の曲率半径Ｒ２が４２ｍｍで、最大胴径に対する寸法比が０．４７で、上側部分３１の曲率半径Ｒ１が１００ｍｍで、最大胴径に対する寸法比が０．９０となっている。
【００１８】
そして、肩部３のうち、口部２周辺の部分の曲率半径が低いほどその部分が膨らんだ形状となって応力が集中しやすなりクレージングが起こりやすくなるが、本実施形態では、上側部分３１の曲率半径Ｒ１の寸法比を高くして曲率半径を高めてあり、肩部３におけるクレージングの発生を抑制してある。
【００１９】
また、本実施形態に係るプラスチックボトル１は炭酸用である。つまり、炭酸用のボトルでは、内圧の上昇により、クレージングが他の飲料用のボトルに比べて起き易くなっているが、クレージングの発生を抑制できる本実施形態のプラスチックボトル１によれば、炭酸用のボトルにも好適に用いることができる。
【００２０】
〔その他の実施形態〕
上述の実施形態では、上側部分３１（下側部分３２を除く残りの部分）の全てが、弧状で且つ最大胴径に対する当該上側部分３１の曲率半径Ｒ１の寸法比が０．５５以上とした構成を例に説明した。しかし、本発明の実施形態はこれに限定されず、上側部分３１が直線状であってもよく、また、上側部分３１の少なくとも一部を、弧状で且つ最大胴径に対する当該上側部分３１の曲率半径Ｒ１の寸法比が０．５５以上とするか、又は、直線状としてもよく、適宜変更可能である。
【００２１】
その他の構成に関しても、本明細書において開示された実施形態は全ての点で例示であって、本発明の範囲はそれらによって限定されることはないと理解されるべきである。当業者であれば、本発明の趣旨を逸脱しない範囲で、適宜改変が可能であることを容易に理解できるであろう。従って、本発明の趣旨を逸脱しない範囲で改変された別の実施形態も、当然、本発明の範囲に含まれる。
【産業上の利用可能性】
【００２２】
本発明は、例えば飲料等を充填するプラスチックボトルに利用することができる。
【符号の説明】
【００２３】
１        プラスチックボトル
２        口部
３        肩部
３１      上側部分（下側部分を除く残りの部分）
３２      下側部分
４        胴部
５        底部
Ｒ１      上側部分の曲率半径
Ｒ２      下側部分の曲率半径
【図１】
2018144880.tif 000003